(57)【特許請求の範囲】
【請求項１】
木製合板より形成され、入賞した遊技球を裏面側へ案内する入賞球案内孔が表裏方向に貫通形成され、裏面側に取り付けられた入賞球誘導樋によって前記入賞球案内孔の出口が覆われるパチンコ機の遊技盤において、
繊維の配列方向がランダムに構成される繊維製シート部材に樹脂が含浸された樹脂含浸シート部材を備え、
前記遊技盤の裏面側から前記入賞球案内孔を切削加工する前に、該裏面側の少なくとも該切削加工部分に前記樹脂含浸シート部材が接着され、該切削加工により前記入賞球案内孔の裏側端面部に発生するバリを前記樹脂含浸シート部材に発生させるとともに、当該バリを除去することなく前記入賞球誘導樋を取り付けたことを特徴とするパチンコ機の遊技盤。
【発明の詳細な説明】
【０００１】
【発明の属する技術分野】
本発明は、木製合板より形成されるパチンコ機の遊技盤に関し、特に、遊技盤の裏面側に樹脂含浸紙を接着後、この遊技盤を裏面側から切削加工することにより、切削加工部分の裏側端面部に発生するバリは、前記樹脂含浸紙によって形成されるため、バリを小さくすることができると共に、バリの裏面側への剥離落下を防止できるパチンコ機の遊技盤に関するものである。
【０００２】
【従来の技術】
従来より、パチンコ機の遊技盤は、木製合板の前面側にセル板が接着されて構成され、その表面に取り付けられた各種の役物に入賞したパチンコ球を裏面側の入賞球誘導樋に送るためや各種部品を取り付けるための各種形状の貫通孔等が、切削加工により形成されている。このような従来の遊技盤の切削加工の一例を図７に基づいて説明する。図７は従来の遊技盤の切削加工の一例を示す図である。
図７に示すように、従来の遊技盤１００は、捨て板１０４にこの遊技盤１００の前面側を密着させて取り付け後、ルーター１０１によって、この遊技盤１００の裏面１００Ａ側から、捨て板１０４を切削しつつ各種形状の貫通孔の切削加工が行われる。そして、これにより遊技盤１００のほぼ中央部には、図柄表示装置が前面側から挿入されて取り付けられる図柄表示装置挿入孔１０７が切削加工により形成されている。また、その図柄表示装置挿入孔１０７の左右両側には、遊技盤１の前面に設けられる各右肩入賞口及び左肩入賞口に入賞したパチンコ球を遊技盤１００の裏側に案内する各入賞球案内孔１０８Ａ、１０８Ａが切削加工により形成されている。また、図柄表示装置挿入孔１０７のほぼ中央下側（図７中、中央左上側）には、遊技盤１００の前面に設けられる中央下第１種始動口に入賞したパチンコ球を遊技盤１００の裏側に案内する入賞球案内孔１０８Ｂが切削加工により形成されている。また、図柄表示装置挿入孔１０７の左右下側（図７中、左上及び左下側）には、遊技盤１００の前面に設けられる各右そで入賞口及び左そで入賞口に入賞したパチンコ球を遊技盤１００の裏側に案内する各入賞球案内孔１０８Ｃ、１０８Ｃが切削加工により形成されている。なお、各入賞球案内孔１０８Ａ、１０８Ａ、１０８Ｂ、１０８Ｃ、１０８Ｃは、遊技盤１００の前面から裏面に向かって徐々に下がる傾斜した貫通孔に切削加工されている。また、図柄表示装置挿入孔１０７の下側の入賞球案内孔１０８Ｂの下方（図７中、左側）には、特別電動役物が前面側から挿入されて取り付けられる特別電動役物取付孔１０９が切削加工により形成されている。
また、図柄表示装置挿入孔１０７の左右上側には、電飾ランプが前面側から挿入されて取り付られる各ランプ取付孔１１０Ａ、１１０Ａが切削加工により形成されている。また、図柄表示装置挿入孔１０７の左右方向の遊技盤１００の外側端縁部には、大当たり表示ランプが前面側から挿入されて取り付けられる各ランプ取付孔１１０Ｂ、１１０Ｂが切削加工により形成されている。さらに、図柄表示装置挿入孔１０７の左右上方向（図７中、右下側）の遊技盤１００の各コーナー部には賞球及び球切れ表示ランプが前面側から挿入されて取り付けられる各ランプ取付孔１１０Ｃ、１１０Ｃが切削加工により形成されている。
このようにルーター１０１の切削加工により形成された図柄表示装置挿入孔１０７、各入賞球案内孔１０８Ａ、１０８Ａ、１０８Ｂ、１０８Ｃ、１０８Ｃ、特別電動役物取付孔１０９、及び各ランプ取付孔１１０Ａ、１１０Ａ、１１０Ｂ、１１０Ｂ、１１０Ｃ、１１０Ｃの各前面側端面部、即ちセル板１０４側の端面部には、捨て板によって抑えられているためバリは発生せず、滑らかな切削面が形成される。
【０００３】
【発明が解決しようとする課題】
しかしながら、図７に示すように前記遊技盤１００の裏面１００Ａ側においては、木製合板の木目に逆らってルーターの刃が入ると木製合板の繊維が大きく引き裂かれて、図柄表示装置挿入孔１０７等の裏側端面周縁部に大きなバリ１０２（図７中、太線部分）が発生し、このバリ１０２をヤスリやカッター等により取り除くのに大変手間がかかり、作業効率が悪く、製造コストがアップするという問題がある。
また、切削加工孔１０３の裏側端面周縁部に残ったバリ１０２の剥離落下について図８に基づいて説明する。図８は従来の遊技盤の入賞したパチンコ球によってバリが剥離落下する状態を連続的に示す要部の縦断面図であって、（ａ）は入賞したときのパチンコ球とバリとの状態を示す要部の縦断面図、（ｂ）はパチンコ球との衝突によってバリが剥離される状態を示す要部の縦断面図である。
図８（ａ）に示すように、遊技盤１００に形成された切削加工孔１０３の表面側端面部には入賞口１０５が取り付けられている。そして、切削加工孔１０３の裏側端面周縁部に残ったバリ１０２は、切削加工穴１０３の内側方向に突き出して形成されている。従って、入賞口１０５から入賞したパチンコ球１０６は、切削加工穴１０３の裏側端面の下側周縁部に形成されているバリ１０２に衝突する。そして、図８（ｂ）に示すように、パチンコ球１０６との衝突によって折損して剥離されたバリ１０２は、パチンコ球１０６と共に、遊技盤１００の裏面１００Ａと機構セット盤１０７とによって形成される入賞球誘導樋に落下していく。そのために、この剥離落下したバリ１０２が、入賞球検出スイッチ等に引っかかって誤動作を起こさせたり、入賞球排出ソレノイドに引っかかってソレノイド動作を誤動作させるという問題がある。
【０００４】
そこで、本発明は、上述した問題点を解決するためになされたものであり、木製合板より形成される遊技盤の裏面に樹脂含浸紙を接着した後に、この遊技盤の裏面側からルーターの切削加工によって各切削加工孔を形成することにより、各切削加工孔の裏側端面部に発生するバリは、樹脂含浸紙により形成され、ルーターの刃の方向と樹脂含浸紙の繊維の方向とが全く一致しないため、大きなバリが形成されることを防止できると共に、入賞球と衝突して樹脂の部分が折損しても紙の繊維が残っていて、バリが入賞球誘導樋の中に落下しないため、入賞球検出スイッチや入賞球排出ソレノイド等の誤動作を防止することができるパチンコ機の遊技盤を提供することを目的とする。
【０００５】
【課題を解決するための手段】
前記目的を達成するために、請求項１に係るパチンコ機の遊技盤は、木製合板より形成され、入賞した遊技球を裏面側へ案内する入賞球案内孔が表裏方向に貫通形成され、裏面側に取り付けられた入賞球誘導樋によって前記入賞球案内孔の出口が覆われるパチンコ機の遊技盤において、繊維の配列方向がランダムに構成される繊維製シート部材に樹脂が含浸された樹脂含浸シート部材を備え、前記遊技盤の裏面側から前記入賞球案内孔を切削加工する前に、該裏面側の少なくとも該切削加工部分に前記樹脂含浸シート部材が接着され、該切削加工により前記入賞球案内孔の裏側端面部に発生するバリを前記樹脂含浸シート部材に発生させるとともに、当該バリを除去することなく前記入賞球誘導樋を取り付けたことを特徴とする。
【０００６】
このような特徴を有する請求項１に係るパチンコ機の遊技盤においては、木製合板により形成される遊技盤の裏面側の少なくとも切削加工部分に、繊維の配列方向がランダムになっている樹脂含浸シートが接着され、その後、この遊技盤の切削加工が裏面側から行われる。
これにより、遊技盤の切削加工部分の裏側端面部に発生するバリは、樹脂含浸シートの層に発生し、ルーターの刃の方向と樹脂含浸シートの全ての繊維の方向とが同一になることがないため、発生するバリの大きさを小さくすることができる。また、遊技盤に形成される各切削加工孔の裏側端面部に残ったバリは、入賞球と衝突して樹脂の部分が折損しても繊維の部分が残っていて、バリは裏側に折れ曲がるだけで入賞球誘導樋の中に落下しないため、入賞球検出スイッチや入賞球排出ソレノイド等のバリによる誤動作や球詰まり等を防止することができる。
【０００７】
【０００８】
また、請求項１に記載のパチンコ機において、前記樹脂含浸シートを１層で形成することとすれば、多層構造の樹脂含浸シートと比較して材料コスト及び製造コストの低減を図ることができる。また、単層構造にすることにより、樹脂含浸シートを薄型化することができるため、樹脂含浸シート層に発生するバリをより小さくすることができる。
【０００９】
【００１０】
また、請求項１に記載のパチンコ機において、前記樹脂含浸シート部材を紙に樹脂を含浸したものとすれば、この樹脂含浸シートを紙の厚さ程度に薄くすることができ、樹脂含浸シート層に発生するバリをより小さくすることができる。また、遊技盤に形成される各貫通孔の裏側端面部に残ったバリは、入賞球と衝突して樹脂の部分が折損しても紙の繊維の部分が残っているため、再度入賞球と衝突して裏側に折れ曲がるだけで、入賞球誘導樋の中にこのバリが落ちることがないため、入賞球検出スイッチや入賞球排出ソレノイド等のバリによる誤動作や球詰まり等を防止することができる。
【００１１】
【発明の実施の形態】
以下、本発明に係るパチンコ機の遊技盤について、具体化した一実施の形態を図面を参照して詳細に説明する。先ず、本実施形態に係る遊技盤の作製について図１及び図２に基づいて説明する。図１は本実施形態に係る木製合板裏面への樹脂含浸紙の接着を示す図である。図２は本実施形態に係る切削加工前の遊技盤の一部拡大断面図である。
図１において、遊技盤の材料である木製合板２は、複数枚の略四角形の薄い板材をその繊維の方向を交差させて接着してなる所定寸法のベニヤ合板である。また、樹脂含浸紙３は、所定厚さ及び所定重量（本実施形態においては、紙は約６０〜１２０ｇ／ｍ2 ）の紙で、アクリル樹脂等の合成樹脂を含浸、乾燥された１層の構造であり、この樹脂含浸紙３の寸法は、前記木製合板２の裏面２Ａとほぼ同じ寸法である。そして、図１に示すように、木製合板２の裏面２Ａの全面に接着剤（本実施形態においては、ユリヤ樹脂系接着剤及びユリヤ樹脂系接着剤と酢酸ビニール系接着剤との混合接着剤）が塗布され、その上に樹脂含浸紙３が載せられて、接着される。
また、この木製合板２の前面には、各種図柄を印刷された、この木製合板２の前面とほぼ同じ寸法のセル板が、接着される。従って、図２に示されるように、遊技盤１の構造は、木製合板２の前面（図２中、左端側）に、セル板４が接着され、木製合板２の裏面（図２中、右端側）に、樹脂含浸紙３が接着されて構成されている。
【００１２】
つぎに、このような構造の遊技盤１の切削加工について図３に基づいて説明する。図３は本実施形態に係る遊技盤の切削加工を示す斜視図である。
図３に示すように、遊技盤１は、前面側、即ちセル板４（図２参照）側が捨て板５の上に密着するように固定され、その裏面側、即ち樹脂含浸紙３側からルーター６によって捨て板５を切削しつつ、各種形状の貫通孔の切削加工が行われる。そして、これにより遊技盤１のほぼ中央部には、図柄表示装置が前面側から挿入されて取り付けられる図柄表示装置挿入孔７が切削加工により形成されている。また、その図柄表示装置挿入孔７の左右両側には、遊技盤１の前面に設けられる各右肩入賞口及び左肩入賞口に入賞したパチンコ球を遊技盤１の裏側に案内する各入賞球案内孔８Ａ、８Ａが切削加工により形成されている。また、図柄表示装置挿入孔７のほぼ中央下側（図３中、中央左上側）には、遊技盤１の前面に設けられる中央下第１種始動口に入賞したパチンコ球を遊技盤１の裏側に案内する入賞球案内孔８Ｂが切削加工により形成されている。また、図柄表示装置挿入孔７の左右下側（図３中、左上及び左下側）には、遊技盤１の前面に設けられる各右そで入賞口及び左そで入賞口に入賞したパチンコ球を遊技盤１の裏側に案内する各入賞球案内孔８Ｃ、８Ｃが切削加工により形成されている。なお、各入賞球案内孔８Ａ、８Ａ、８Ｂ、８Ｃ、８Ｃは、遊技盤１の前面から裏面に向かって徐々に下がる傾斜した貫通孔に切削加工されている（図４及び図６参照）。また、図柄表示装置挿入孔７の下側の入賞球案内孔８Ｂの下方（図３中、左側）には、特別電動役物が前面側から挿入されて取り付けられる特別電動役物取付孔９が切削加工により形成されている。
また、図柄表示装置挿入孔７の左右上側には、電飾ランプが前面側から挿入されて取り付られる各ランプ取付孔１０Ａ、１０Ａが切削加工により形成されている。また、図柄表示装置挿入孔７の左右方向の遊技盤１の外側端縁部には、大当たり表示ランプが前面側から挿入されて取り付けられる各ランプ取付孔１０Ｂ、１０Ｂが切削加工により形成されている。さらに、図柄表示装置挿入孔７の左右上方向（図３中、右下側）の遊技盤１の各コーナー部には賞球及び球切れ表示ランプが前面側から挿入されて取り付けられる各ランプ取付孔１０Ｃ、１０Ｃが切削加工により形成されている。
【００１３】
このようにルーター６の切削加工により形成された図柄表示装置挿入孔７、各入賞球案内孔８Ａ、８Ａ、８Ｂ、８Ｃ、８Ｃ、特別電動役物取付孔９、及び各ランプ取付孔１０Ａ、１０Ａ、１０Ｂ、１０Ｂ、１０Ｃ、１０Ｃの各前面側端面部、即ちセル板４側の端面部には、バリは発生しないが、各裏面側端面部、即ち樹脂含浸紙３側の端面部には、バリが発生する。この発生したバリの状態の一例を図４に基づいて説明する。図４は本実施形態に係る遊技盤１の入賞球案内孔８Ｂの断面の一例を示す図で、（ａ）は切削加工により形成された入賞球案内孔８Ｂを含む要部断面図であり、（ｂ）は（ａ）の入賞球案内孔８Ｂの樹脂含浸紙側端面の二点鎖線円内の拡大図である。
図４に示すように、入賞球案内孔８Ｂの前面側（図４（ａ）中、下側）端面、即ちセル板４に形成される端面部には、バリは発生していないが、裏面側（図４（ａ）中、上側）端面、即ち樹脂含浸紙３に形成される端面部には、バリ３Ａが発生している。このバリ３Ａの大きさは、図４（ｂ）に示すように、樹脂含浸紙３の厚さ（本実施形態においては、約０．０８ｍｍ）とほぼ同じであり、その内側先端周縁部には、ルーター６によって樹脂含浸紙３の繊維が引きちぎられて露出している。
【００１４】
次に、このように構成された遊技盤１の各入賞口にパチンコ球が入賞したときの入賞球の遊技盤１の裏側における球経路を図５に基づいて説明する。図５は本実施形態に係る遊技盤１の裏側における入賞球の球経路を示した図である。
図５に示すように、遊技盤１の前面に設けられる各右肩入賞口及び左肩入賞口に入賞したパチンコ球を遊技盤１の裏側に案内する各入賞球案内孔８Ａ、８Ａは、ビス止めにより遊技盤１に取り付けられた上側入賞球誘導樋１３により覆われている。また、中央下第１種始動口に入賞したパチンコ球を遊技盤１の裏側に案内する入賞球案内孔８Ｂと、各右そで入賞口及び左そで入賞口に入賞したパチンコ球を遊技盤１の裏側に案内する各入賞球案内孔８Ｃ、８Ｃとは、ビス止めにより遊技盤１に取り付けられた下側入賞球誘導樋１４により覆われている。また、この各入賞球案内孔８Ｂ、８Ｃ、８Ｃから出てくる入賞球の流れる通路は、下側入賞球誘導樋１４の内側に別々に形成されている。そして、右肩入賞口の入賞球案内孔８Ａ（図５中、左側）から出てきた入賞球は、破線矢印で示されるように、右そで入賞口の入賞球案内孔８Ｃ（図５中、左側）から出てきた入賞球と一緒に、下側入賞球誘導樋１４中を下側に落下していく。また、左肩入賞口の入賞球案内孔８Ａ（図５中、右側）から出てきた入賞球は、破線矢印で示されるように、左そで入賞口の入賞球案内孔８Ｃ（図５中、右側）から出てきた入賞球と一緒に、下側入賞球誘導樋１４中を下側に落下していく。また、中央下第１種始動口の入賞球案内孔８Ｂから出てきた入賞球は、破線矢印で示されるように、第１種始動口スイッチ１８を通過して、下側入賞球誘導樋１４中を下側に落下していく。
【００１５】
そして、この下側入賞球誘導樋１４の下側には、遊技盤１の裏側に開閉可能に取り付けられた機構セット盤（不図示）の前面側に形成される入賞球集合樋１５が設けられており、下側入賞球誘導樋１４の下側等から落下してくるパチンコ球は、この入賞球集合樋１５により集められて、パチンコ球排出口１９に案内される。また、この入賞球集合樋１５のパチンコ球排出口１９の手前には、パチンコ球を１個ずつ排出する入賞球排出ソレノイド１６と、この排出されたパチンコ球の個数を検出するための入賞球検出センサ１７が設けられている。
【００１６】
次に、各入賞球案内孔８Ａ、８Ａ、８Ｂ、８Ｃ、８Ｃに切削加工によって発生するバリ３Ａの入賞球による折れ曲がり方について図６に基づいて説明する。図６は、本実施形態に係る遊技盤の左そで入賞口にパチンコ球が入賞したときの要部縦断面図であって、（ａ）は入賞球が入賞球案内孔８Ｃ内を転がっているところを示す縦断面図であり、（ｂ）は入賞球が入賞球誘導樋１４内に落下したところを示す縦断面図である。
図６（ａ）に示されるように、遊技盤１の左下側に切削加工によって形成される入賞球案内孔８Ｃの前面側、即ちセル板４側（図６中、左端側）には、左そで入賞口２１が取り付けられている。また、入賞球案内孔８Ｃの裏面側、即ち樹脂含浸紙３側（図６中、右端側）端面にはバリ３Ａが切削加工によって発生している。また、入賞球案内孔８Ｃの入賞球出口は、下側入賞球誘導樋１４により覆われており、この下側入賞球誘導樋１４の内側面と遊技盤１の裏面とにより、入賞球が落下していく通路が形成される。そして、左そで入賞口２１に最初に入賞したパチンコ球２２は、左そで入賞口２１と遊技盤１の前面とで形成される通路を通って、入賞球案内孔８Ｃ内に転がり込んでくる。
【００１７】
そして、図６（ｂ）に示されるように、入賞球案内孔８Ｃ内に転がり込んだパチンコ球２２は、入賞球案内孔８Ｃの出口に形成されるバリ３Ａを遊技盤１の裏面側に押し曲げて、下側入賞球誘導樋１４の内側面と遊技盤１の裏面とにより形成される通路に落下する。また、バリ３Ａは、樹脂含浸紙３の樹脂の部分が折れ曲がっているだけであり、樹脂含浸紙３の繊維の部分は、離脱せず残っている。これにより、一度、入賞球によってバリ３Ａが、裏側に折り曲げられてしまうと、次の入賞球からは、バリ３Ａに当たることなく、遊技盤１の裏側に形成される通路に落下していく。また、バリ３Ａは、離脱せず残っているため、入賞球排出ソレノイド１６等に引っかかり、その動作を妨げることはない。
【００１８】
以上詳細に説明した通り、本実施形態のパチンコ機の遊技盤１においては、ルーター６等による切削加工前に、遊技盤１を構成する木製合板２の裏側の全面にアクリル樹脂等を含浸した樹脂含浸紙３を接着する。そして、この木製合板２の前面にセル板４を接着した後、捨て板５に遊技盤１の前面を密着させて固定し、この遊技盤の裏面側から、即ち樹脂含浸紙３側からルーター６等により各入賞球案内孔８Ａ、８Ａ、８Ｂ、８Ｃ、８Ｃ等の切削加工を行う。これにより、切削加工に伴って各入賞球案内孔８Ａ、８Ａ、８Ｂ、８Ｃ、８Ｃ等の裏側端面、即ち樹脂含浸紙３の層にバリ３Ａが発生する。そして、各入賞球案内孔８Ａ、８Ａ、８Ｂ、８Ｃ、８Ｃに最初の入賞球が入った時に、これらのバリ３Ａは、裏側に折れ曲がり、それ以後、各入賞球案内孔８Ａ、８Ａ、８Ｂ、８Ｃ、８Ｃの出口に発生したバリ３Ａは、入賞球と当たることなく、離脱せず残っている。
【００１９】
したがって、遊技盤１の切削加工部分の裏側端面部に発生するバリ３Ａは、樹脂含浸シート３の層に発生し、ルーター６の刃の方向と樹脂含浸シート３の繊維の方向とが同じになることがないため、発生するバリ３Ａの大きさを小さくすることができる。また、遊技盤１に形成される各入賞球案内孔８Ａ、８Ａ、８Ｂ、８Ｃ、８Ｃの裏側端面部に残ったバリ３Ａは、入賞球と衝突して樹脂の部分が折損しても繊維の部分が残っていて、バリ３Ａは裏側に折れ曲がって、再度入賞球と当たることが無くなり、各入賞球誘導樋１３、１４の中に落下しない。このため、入賞球検出スイッチ１７や入賞球排出ソレノイド１６等にバリ３Ａの引っかかり等が無くなり、誤動作や球詰まり等を防止することができる。
また、樹脂含浸シート３が１層で形成されているため、多層構造の樹脂含浸シートと比較して材料コスト及び製造コストの低減を図ることができる。また、１層構造にすることにより、樹脂含浸シート３を薄型化することができるため、樹脂含浸シート３の層に発生するバリ３Ａをより小さくすることができる。
さらに、樹脂含浸シート３は、紙にアクリル樹脂等を含浸したものであるため、この樹脂含浸シート３を紙の厚さ程度に薄くすることができ、樹脂含浸シート３の層に発生するバリ３Ａをより小さくすることができる。
【００２０】
尚、本発明は前記実施形態に限定されるものではなく、本発明の要旨を逸脱しない範囲内で種々の改良、変形が可能であることは勿論であり、以下のようにしてもよい。
（ａ）前記実施形態では、木製合板２の裏側２Ａに樹脂含浸紙３を接着後に前面側にセル板４を接着しているが、木製合板２の前面側にセル板４を接着後に樹脂含浸紙３を接着するようにしてもよい。
（ｂ）前記実施形態では、木製合板２の裏面２Ａの全面に樹脂含浸紙３を接着しているが、切削加工部分のみを覆うように樹脂含浸紙３を接着するようにしてもよい。
【００２１】
【発明の効果】
以上説明した通り、請求項１に係るパチンコ機の遊技盤では、木製合板により形成される遊技盤の裏面側の少なくとも切削加工部分に、繊維の配列方向がランダムになっている樹脂含浸シートが接着され、その後、この遊技盤の切削加工が裏面側から行われる。
これにより、遊技盤の切削加工部の裏側端面部に発生するバリは、樹脂含浸シートの層に発生し、ルーターの刃の方向と樹脂含浸シートの全ての繊維の方向とが同一になることがないため、発生するバリの大きさを小さくすることができるパチンコ機の遊技盤を提供することができる。また、遊技盤に形成される各切削加工孔の裏側端面部に残ったバリは、入賞球と衝突して樹脂の部分が折損しても繊維の部分が残っていて、バリは折れ曲がるだけで入賞球誘導樋の中に落下しないため、入賞球検出スイッチや入賞球排出ソレノイド等のバリによる誤動作や球詰まり等を防止することができるパチンコ機の遊技盤を提供することができる。
【００２２】
【００２３】
【図面の簡単な説明】
【図１】  本実施形態に係る木製合板裏面への樹脂含浸紙の接着を示す図である。
【図２】  本実施形態に係る切削加工前の遊技盤の一部拡大断面図である。
【図３】  本実施形態に係る遊技盤の切削加工を示す斜視図である。
【図４】  本実施形態に係る遊技盤の入賞球案内孔の断面の一例を示す図で、（ａ）は切削加工により形成された入賞球案内孔を含む要部断面図であり、（ｂ）は（ａ）の入賞球案内孔の樹脂含浸紙側端面の二点鎖線円内の拡大図である。
【図５】  本実施形態に係る遊技盤１の裏側における入賞球の球経路を示した図である。
【図６】  本実施形態に係る遊技盤の左そで入賞口にパチンコ球が入賞したときの要部縦断面図であって、（ａ）は入賞球が入賞球案内孔内を転がっているところを示す縦断面図であり、（ｂ）は入賞球が入賞球誘導樋内に落下したところを示す縦断面図である。
【図７】  従来の遊技盤の切削加工の一例を示す図である。
【図８】  従来の遊技盤の入賞したパチンコ球によってバリが剥離落下する状態を連続的に示す要部の縦断面図であって、（ａ）は入賞したときのパチンコ球とバリとの状態を示す要部の縦断面図、（ｂ）はパチンコ球との衝突によってバリが剥離される状態を示す要部の縦断面図である。
【符号の説明】
１、１００                            遊技盤
２                                    木製合板
３                                    樹脂含浸紙
３Ａ、１０２                          バリ
４                                    セル板
６、１０１                            ルーター
８Ａ、８Ｂ、８Ｃ、１０８Ａ、１０８Ｂ、１０８Ｃ      入賞球案内孔
１３                                  上側入賞球誘導樋
１４                                  下側入賞球誘導樋
１５                                  入賞球集合樋
１６                                  入賞球排出ソレノイド
１７                                  入賞球検出センサ
２１                                  左そで入賞口
２２                                  パチンコ球
【図１】
0004138062.tif 000002
【図２】
0004138062.tif 000003
【図３】
0004138062.tif 000004
【図４】
0004138062.tif 000005
【図５】
0004138062.tif 000006
【図６】
0004138062.tif 000007
【図７】
0004138062.tif 000008
【図８】
0004138062.tif 000009